【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
樹脂成分（ａ）と硬化剤成分（ｂ）を含んでなる二成分型ポリウレタン接着剤組成物であって、該接着剤組成物は接着促進剤として、Ｎ−エチル−２−ピロリドンおよび／またはメチル−５−（ジメチルアミノ）−２−メチル−５−オキソペンタノエートをさらに含むポリウレタン接着剤組成物。
【請求項２】
ａ）樹脂成分（ａ）は少なくとも１種のＮＣＯ反応性プレポリマーを含み、及び、硬化剤成分（ｂ）は少なくとも１種のポリイソシアネートを含む、または
ｂ）樹脂成分（ａ）は少なくとも１種のＮＣＯ末端プレポリマーを含み、及び、硬化剤成分（ｂ）は少なくとも１種のポリオールを含む
請求項１に記載のポリウレタン接着剤組成物。
【請求項３】
樹脂成分（ａ）の前記少なくとも１種のＮＣＯ反応性プレポリマーの平均数分子量Ｍｎは４００〜１００，０００ｇ／ｍｏｌ、好ましくは１，０００〜５０，０００ｇ／ｍｏｌ、より好ましくは５，０００〜５０，０００ｇ／ｍｏｌの範囲内である、請求項２に記載のポリウレタン接着剤組成物。
【請求項４】
ＮＣＯ反応性ポリウレタンプレポリマーのＮＣＯ：ＯＨ比は１：１．５から１：５である、請求項２または３に記載のポリウレタン接着剤組成物。
【請求項５】
Ｎ−エチル−２−ピロリドン、メチル−５−（ジメチルアミノ）−２−メチル−５−オキソペンタノエートまたはそれらの混合物がポリウレタン接着剤組成物の全重量に基づいて１〜１０重量％、好ましくは３〜７重量％の量で含まれる、請求項１〜４のいずれかに記載のポリウレタン接着剤組成物。
【請求項６】
ＮＣＯ／ＯＨ比が０．９０：１と１．５：１の間、特に１．０：１から１．３：１である、請求項１〜５のいずれかに記載のポリウレタン接着剤組成物。
【請求項７】
さらなる添加剤をさらに含む、請求項１〜６のいずれかに記載のポリウレタン接着剤組成物。
【請求項８】
接着剤組成物は、接着促進剤としてメチル−５−（ジメチルアミノ）−２−メチル−５−オキソペンタノエートを含む、請求項１〜７のいずれかに記載のポリウレタン接着剤組成物。
【請求項９】
接着剤組成物用接着促進剤としての、好ましくはポリウレタン系接着剤組成物用接着促進剤としての、特に二成分型ポリウレタン接着剤組成物用接着促進剤としての、メチル−５−（ジメチルアミノ）−２−メチル−５−オキソペンタノエートの使用。
【請求項１０】
接着剤組成物用接着促進剤としての、好ましくはポリウレタン系接着剤組成物用接着促進剤としての、特に二成分型ポリウレタン接着剤組成物用接着促進剤としての、Ｎ−エチル−２−ピロリドンの使用。
【手続補正２】
【補正対象書類名】明細書
【補正対象項目名】００２１
【補正方法】変更
【補正の内容】
【００２１】
適切なポリオールの１群はポリエステルポリオールであり、これはジまたはトリカルボン酸と過剰の二官能性または三官能性アルコールとの縮合によって調製することができる。カルボン酸は、脂肪族、脂環式、芳香族もしくは複素環式またはそれらの混合物であってよい。適切な酸の例としては、アジピン酸、セバシン酸、グルタル酸、アゼライン酸、スベリン酸、ウンデカン二酸、ドデカン二酸、３，３−ジメチルグルタル酸、ヘキサヒドロフタル酸のような脂肪酸、フタル酸、テレフタル酸、イソフタル酸のような芳香族酸、マレイン酸、フマル酸、ダイマー脂肪酸のような不飽和酸、クエン酸やトリメリット酸などのトリカルボン酸が挙げられるが、これらに限定されない。適切な二官能性または三官能性アルコールの例としては、低分子量アルコール、例えばエチレングリコール、ジエチレングリコール、ネオペンチルグリコール、ヘキサンジオール、ブタンジオール、プロピレングリコール、グリセロールまたはトリメチロールプロパン、ジプロピレングリコール、１，４−ブタンジオール、１，６−ヘキサンジオール、１，８−オクタンジオール、１，１０−デカンジオール（１，１０−ｄｉｃａｎｅｄｉｏｌ）、１，１２−ドデカンジオール、１，４−ヒドロキシメチルシクロヘキサン、２−メチルプロパン−１，３−ジオール、ブタン−１，２，４−トリオール、トリエチレングリコール、テトラエチレングリコール、ポリエチレングリコール、ジプロピレングリコール、ポリプロピレングリコール、ジブチレングリコールおよびポリブチレングリコール、ならびにグリセロール、トリメチロールプロパン、またはこれらの混合物が挙げられるが、これらに限定されない。
【手続補正３】
【補正対象書類名】明細書
【補正対象項目名】００２３
【補正方法】変更
【補正の内容】
【００２３】
本発明において有用である、ポリエステルポリオールの他群は、いわゆる油脂化学ポリオールである。このようなポリエステルポリオールは、例えば、少なくとも部分的にオレフィン性不飽和脂肪酸と１から１２個のアルコールを有する１またはそれ以上のアルコールとを含む脂肪混合物のエポキシ化トリグリセリドの完全開環、およびその後のアルキル基中に１から１２個のＣ原子を有するアルキルエステルポリオールを生じさせる、トリグリセリド誘導体の部分エステル交換により調製できる。天然物に基づくこのような好ましい適切なポリオールの他群は、ダイマージオールならびにひまし油およびそれらの誘導体である。
【手続補正４】
【補正対象書類名】明細書
【補正対象項目名】００２９
【補正方法】変更
【補正の内容】
【００２９】
上記組成物は、さらにヒドロキシ官能化ポリマーであるポリオール、例えばヒドロキシ官能化シロキサンを含んでもよい。使用してもよい例となるシロキサンは、約２，２００ｇ／ｍｏｌの分子量Ｍｎを有するＴｅｇｏｍｅｒ（登録商標）Ｈ−Ｓｉ ２３１１（Ｅｖｏｎｉｋ、ドイツ）の名称で商業的に利用できるような、特に液体状であるヒドロキシ官能化ポリジメチルシロキサンである。適切なポリジメチルシロキサン（ＰＤＭＳ）ポリオールは、例えば、ＵＳ  ６７９４４４５  Ｂ２に記載されている。それらは、使用されるポリオールの総重量に基づいて６０重量％までの量で使用されてもよく、通常は、例えば−１５０から−１００℃の範囲の低いＴｇ値を有する。
【手続補正５】
【補正対象書類名】明細書
【補正対象項目名】００３５
【補正方法】変更
【補正の内容】
【００３５】
特定の実施形態において、樹脂成分（ａ）の前記少なくとも１つのＮＣＯ反応性プレポリマーは、４００〜１００，０００ｇ／ｍｏｌ、好ましくは１，０００〜５０，０００ｇ／ｍｏｌ、より好ましくは５，０００〜５０，０００ｇ／ｍｏｌの範囲の平均数分子量Ｍｎを有する。
【手続補正６】
【補正対象書類名】明細書
【補正対象項目名】００４５
【補正方法】変更
【補正の内容】
【００４５】
様々な実施形態において、前記少なくとも１種の接着促進剤Ｎ−エチル−２−ピロリドン、メチル−５−（ジメチルアミノ）−２−メチル−５−オキソペンタノエート、または前述のものの混合物は、本発明による接着剤組成物中に、ポリウレタン接着剤組成物の全重量に基づいて１〜１０重量％、好ましくは３〜７重量％の量で存在する。
【手続補正７】
【補正対象書類名】明細書
【補正対象項目名】００４９
【補正方法】変更
【補正の内容】
【００４９】
任意で、接着剤は顔料またはフィラーを含有してもよい。このような添加剤は接着剤の特定の性質を変えるために使用することができる。例は、天然粉砕チョーク、沈降チョーク、バライト、タルク、マイカ、カーボンブラック、二酸化チタン、酸化鉄、酸化アルミニウム、酸化亜鉛、硫酸亜鉛、または二酸化ケイ素のようなＴｉ、Ｚｒ、Ａｌ、Ｆｅ、Ｍｇ、Ｃａ、ＢａまたはＺｎの酸化物、ケイ酸塩、硫酸塩、リン酸塩または炭酸塩である。吸水性粉末、例えばゼオライトもフィラーとして存在してもよい。フィラーは微細に分割された形、例えば１〜２００μｍ、特に５０μｍまでの大きさで存在すべきであるが、それらはナノスケールの顔料であってもよい。
【手続補正８】
【補正対象書類名】明細書
【補正対象項目名】００５４
【補正方法】変更
【補正の内容】
【００５４】
本発明のポリウレタン接着剤は塗布温度で液体である。本発明のポリウレタン接着剤は室温で液体であることが好ましい。様々な実施形態において、本発明による接着剤組成物は、ＤＩＮ ＩＳＯ ２５５５（ブルックフィールド粘度計ＲＶＴ、スピンドルＮｏ．４、 ２５℃； ５ｒｐｍ）によって測定されたとき、４０℃の温度で５００〜１００，０００ｍＰａ・ｓ、特に１，０００〜２０，０００ｍＰａ・ｓの粘度を有する。本明細書に記載の接着剤は、１種またはそれ以上の溶媒を含有してもよく、または溶媒を含まなくてもよい。当業者に既知の適切な溶媒は、特にエステル、ケトン、ハロゲン化炭化水素、アルカン、アルケンおよび芳香族炭化水素である。適切な溶媒の特定の例は、塩化メチレン、トリクロロエチレン（ｔｒｉｃｈｌｏｒｅｔｈｙｌｅｎｅ）、トルエン、キシレン、酢酸ブチル、酢酸アミル、酢酸イソブチル、メチルイソブチルケトン、酢酸メトキシブチル、シクロヘキサン、シクロヘキサノン、ジクロロベンゼン、ジエチルケトン、ジイソブチルケトン、ジオキサン、酢酸エチル、エチレングリコールモノブチルエーテル、エチレングリコールモノエチル、２−エチルヘキシルアセテート、グリコールジアセテート、ヘプタン、ヘキサン、酢酸イソブチル、イソオクタン、酢酸イソプロピル、メチルエチルケトン、テトラヒドロフランあるいはテトラクロルエチレン、もしくは上記溶媒の２種またはそれ以上の混合物である。好ましい実施形態において、本発明によるポリウレタン接着剤組成物は溶媒を含まない。